【事件の表示】
　平成　２年特許願第３３４６９０号「カメラ」拒絶査定に対する審判事件［平成　４年　７月２１日出願公開、特開平　４−２００１８２］について、次のとおり審決する。
【結　論】
　本件審判の請求は、成り立たない。
【理　由】
第１　本願発明
　本願は、平成２年１１月２９日の出願であって、その発明は、補正された明細書及び図面の記載からみて、その特許請求の範囲（請求項の数９）に記載された「カメラ」に係るものであるところ、その請求項９に記載された発明（以下「本願発明」という。）は、次に掲げるとおりのものである。
「撮像手段と、
　上記撮像手段によって撮像された複数の画像を所定の記録媒体に記録する記録手段と、
　同一画面内に上記記録手段に記録された複数の画像のうちの一画像を再生する第１のモードと同一画面内に上記記録手段に記録された複数の画像のうちの所定数の画像を並べて再生する第２のモードのいずれかを指定する指定手段と、
　上記所定数の画像を再生画面内に配列して再生することができるよう、各画像の画像データに対して表示画像を縮小するための画像処理を行なう画像処理手段と、
　上記第１のモードが指定されているときは、上記一画像の画像データを外部に出力し、上記第２のモードが指定されているときは、上記画像処理手段で画像処理された所定数の画像の画像データを外部に出力する出力手段と、
を備えたことを特徴とするカメラ」
　
第２　先願発明
　前置審査での拒絶理由に引用された、本願出願の日前の平成１年１２月２９日を優先日とする優先権主張を伴う出願（特願平２−４０７０９８号、以下「先願」という。）であって、その出願後に公開された特開平５−８３７３５号公報を参照すると、先願には、次に掲げる(1)ないし(15)の事項からなる多画面メモリーを使用したスチルビデオカメラ（以下「先願発明」という。）が記載されている。
　 (1)　本発明はスチルビデオカメラに関するもので、特に多画面メモリーを使用して複数個の画面を一つの画面に同時にディスプレー再生されるようにするスチルビデオカメラ回路に関するものである。（２頁１欄４４行ないし４７行）
　 (2)　スチルビデオカメラの出力はビデオプリンターを印画するとかモニター等でディスプレーすることができ、記憶素子はフロッピーディスクを使用している。（１頁２欄３行ないし６行）
　 (3)　図１は従来のスチルビデオカメラの回路図であって、レンズを通じて入って来た被写体の映像を電気信号に代えて出力する撮像素子１４と、（中略）再生時に使用者が願う画面の選択及び、画面の進行及び画面の消去機能を選択するスイッチ３６と、（中略）記録時に上記変調部２２から発生される色差信号と輝度信号の混合及び、スイッチング作用及び増幅作用をし、再生時に上記フロッピーディスクドライバー２６からヘッドが読出した映像信号を増幅して出力する記録／再生アンプ２４と、（中略）復調部４０で各々復調された輝度信号と色差信号を合わせてＲ，Ｇ，Ｂ（赤、緑、青）信号に変換してビデオ信号の出力を発生するエンコーダ４２と、（中略）から構成されている。（２頁２欄７行ないし３９行）
　 (4)　カメラ制御部１２の制御によって撮像素子１４から出力される回路の映像信号はＦＤＤ２６に記録され、再生器制御部２８の制御により上記ＦＤＤ２６に記載された内容が再生（読出し）される。（３頁３欄４０行ないし４３行）
　 (5)　エンコーダー４２はパルス発生部４４のパルス信号により復調された輝度信号（Ｙ）と色信号（Ｃ）をエンコーディングして複合映像信号を出力する。従って、エンコーダー４２から一つのスチル画面のデータが出力される。（３頁４欄１行ないし６行）
　 (6)　上記図１のように構成された従来のスチルビデオカメラは撮影記録されたものを画面に再生時ＦＤＤ２６に記録されてある映像信号を一つの画面ずつのみ再生することができる。（３頁４欄７行ないし１０行）
　 (7)　従来の場合、再生時に一つのトラックに記録されている信号のみを一つの画面に表わすだけしかなかったので、一つの画面だけしか再生することができなかった。（３頁４欄１８行ないし２１行）
　 (8)　本発明の目的は多画面メモリーを使用して複数個のトラックに記録されている映像信号を小さい画面に一度に（同時に）再生することができるようにし、一つのトラックに記録されている信号を複数個の小さい画面にディスプレーすることもできるようにしたスチルビデオカメラを提供することにある。（３頁４欄２３行ないし２９行）
　 (9)　図２は本発明による回路図であって、モード選択による制御信号を分析して記録／再生命令を出力するマイコン４６と、上記マイコン４６の記録／再生命令によって第１，第２サンプリングクロック（ＡＤＣＫ），（ＤＡＣＫ）及び多画面記録／再生制御信号、第１，第２スイッチング制御信号を出力するマルチ画面制御器５０と、上記第１サンプリングクロック（ＡＤＣＫ）によって入力アナログ信号をディジタル変換出力するＡ／Ｄ部５２と、輝度（Ｙ），第１，第２色差信号（Ｒ−Ｙ），（Ｂ−Ｙ）信号を上記第１スイッチング制御によって選択して上記Ａ／Ｄ部５２に入力するアナログスイッチ４８と、上記マルチ画面制御器５０で出力するデータを多画面記録／再生制御信号によって記録／再生するメモリー５４，５６，５８とからなる多画面メモリー手段と、上記マルチ画面制御器５０の第２サンプリングクロック（ＤＡＣＫ）によって上記メモリー５４，５６，５８から各々出力するデータをアナログ信号に変換して輝度（Ｙ），第１，第２色差信号（Ｒ−Ｙ），（Ｂ−Ｙ）に出力するＤ／Ａ変換部６０，６２，６４とから構成されたＤ／Ａ変換手段と、映像信号と上記Ｄ／Ａ変換手段で出力される輝度信号（Ｙ），第１，第２色差信号（Ｒ−Ｙ），（Ｂ−Ｙ）を第２スイッチング制御信号によって選択出力するビデオスイッチ６６と、上記ビデオスイッチ６６から出力される信号と同期信号を入力エンコーディングして複合映像信号を出力するエンコーダー４２とから構成され、上記のアナログスイッチ４８は前述の図１の復調部４０の出力端子に接続され、マイコン４６は再生器制御部３８に接続構成される。（３頁４欄３２行ないし４頁５欄９行）
　 (10)　図４（Ｂ）は四つのトラックに各々記録されている画像を各々ディスプレーした例であって、Ｅ，Ｆ，Ｇ，Ｈが各々異なる状態の画面である。（４頁５欄１８行ないし２０行）
　 (11)　本発明による図２の動作例を図３及び図４を参照して詳細に説明する。（中略）いま、第２スイッチ（ＳＷ２）３６で使用者がロックモードをセットすると、これは再生器制御部３８に入力され、上記再生器制御部３８は前述のようにメカニズム制御部２８を制御すると同時にマイコン４６にロック信号を出力する。
（中略）
　従って、再生動作によってＦＤＤ２６に記録された画像データがピックアップされ、これは復調部４０で輝度信号（Ｙ），第１，第２色差信号（Ｒ−Ｙ），（Ｂ−Ｙ）として復調されて出力される。
（中略）
　一方、マイコン４６はすでに制御信号をマルチ画面制御器５０に入力させてマルチ画面制御器５０を制御する。
（中略）
　このとき、ロック信号を入力するマルチ画面制御器５０はビデオスイッチ６６が復調部４０の出力を直接スイッチング出力するようにビデオスイッチ６６を制御する。従って、復調器４６（４０の誤り）のビデオ出力はエンコーダー４２に入力され、エンコーダー４２は入力ビデオ信号と同期信号をエンコーディングして複合映像信号を出力する。（４頁５欄２１行ないし４５行）
　 (12)　もし、第２スイッチ３６がマルチ画面スイッチングである場合マイコン４６は再生器制御部３８の制御を受けて各種の機能選択命令で上記マルチ画面制御器５０のライト／リード及びタイミングを制御する。
（中略）
　例えば、マルチ４画面である場合第２（第１の誤り）サンプリングクロックＡＤＣＫを２分周するようにし、マルチ９画面である場合第２（第１の誤り）サンプリングクロックＡＤＣＫを４／３分周（３分周の誤り）し、マルチ１６分周である場合第２（第１の誤り）サンプリングクロックＡＤＣＫが４分周に出力されるようにマルチ画面制御器５０を制御する。（４頁５欄４６行ないし同頁６欄５行）
　 (13)　マルチ画面制御器５０で出力される第１サンプリングクロック（ＡＤＣＫ）のタイミング（周期）は前述のようにマルチモードである各機能モードにより違う。例えば、第１サンプリングクロック（ＡＤＣＫ）周波数はマルチ４画面であるとき２fsc ，９画面であるとき4/3 fsc ，１６画面であるとき４fsc（fscの誤り） であり、これはマイコン４６の制御によって上記マルチ画面制御器５０で出力される。（４頁６欄１７行ないし２４行）
　 (14)　エンコーダー４２は上記順次入力信号と同期信号をエンコーディングして複合映像信号に出力する。このとき、上記エンコーダー部４２から出力される映像信号は多画面をディスプレーするために設置されたメモリー５４，５６，５８に貯蔵されたデータであるので、記録されたマルチモードまたはトラックコードと同一に出力されるので図４（Ａ）及び（Ｂ）のように多画面に出力される。（５頁７欄１行ないし８行）
　 (15)　本発明は多画面メモリーを利用して一つのトラックの画面を四つ以上の小画面としてディスプレーするとか、四つ以上のトラック画面を各々小画面として一つの再生画面に一度にディスプレーさせることができてスチルビデオカメラの機能を向上させることができる。（５頁７欄１０行ないし１５行）
　
第３　先願発明と本願発明との対比
　１　両発明における事項の対比
　　先願発明は「多画面メモリーを使用したスチルビデオカメラ」に係るものであるが、このカメラは、複数個の画面を一つの画面に同時にディスプレー再生されるようにするスチルビデオカメラであるから（上記第２の(1)(15)を参照）、本願発明に係る「カメラ」に一応対応する。
　そして、先願発明における事項と本願発明における事項とを対比すると、次に掲げる(1)ないし(5)の事項がそれぞれ相当する。
　 (1)　先願発明における「撮像素子１４」は、レンズを通じて入って来た被写体の映像を電気信号に代えて出力するから（上記第２の(3)を参照）、本願発明における「撮像手段」に相当する。
　 (2)　先願発明における「記録／再生アンプ２４」は、撮像素子１４からの映像信号をＦＤＤ２６に記録し、ＦＤＤ２６に記載された内容を再生するから（上記第２の(3)(4)を参照）、本願発明における「記録手段」に相当する。
　 (3)　先願発明における「スイッチ３６」は、使用者がロックモードをセットすると、復調器４０のビデオ出力はエンコーダー４２に直接入力され、エンコーダー４２は入力ビデオ信号と同期信号をエンコーディングして複合映像信号を出力する（上記第２の(11)を参照）、いわゆる、従来の場合と同様に一つの画面だけを再生するから（上記第２の(7)を参照）、上記ロックモードは、本願発明における第１のモードに相当し、また、マルチ画面スイッチングであるマルチモードの場合、エンコーダー４２から出力される映像信号は多画面をディスプレーするために設置されたメモリー５４，５６，５８に貯蔵されたデータを出力するから（上記第２の(12)ないし(14)を参照）、上記マルチモードは、本願発明における第２のモードに相当し、上記「スイッチ３６」は、再生時に使用者が願う画面を選択するものでもあるから（上記第２の(3)を参照）、本願発明における「指定手段」に相当する。
　 (4)　先願発明における「Ａ／Ｄ部５２」は、第１サンプリングクロック（ＡＤＣＫ）によって入力アナログ信号をディジタル変換し（上記第２の(9)を参照）、マルチ４画面である場合第１サンプリングクロックＡＤＣＫを２分周するようにし、マルチ９画面である場合第１サンプリングクロックＡＤＣＫを３分周し、マルチ１６分周である場合第１サンプリングクロックＡＤＣＫが４分周に出力されるようにマルチ画面制御器５０を制御するから（上記第２の(12)を参照）、本願発明における「画像処理手段」に相当する。
　 (5)　先願発明における「エンコーダー４２」は、ロックモードのときは、一つの画面だけの複合映像信号を出力し、マルチモードのときは、多画面メモリー５４，５６，５８に貯蔵されたデータを映像信号として出力するから（上記(3)を参照）、本願発明における「出力手段」に相当する。
　
　２　本願発明と先願発明との一致点・相違点
　　上記１の対比から、本願発明と先願発明とは相違点がなく、一致するから、本願発明は、先願に記載されているといえる。
　
第４　むすび
　以上、本願発明は、先願発明と同一であると認められ、しかも、本願に係る発明者が先願に記載された発明者と同一であるとも、また、本願に係る出願人が先願に記載された出願人と同一であるとも認められないので、特許法２９条の２の規定により特許を受けることができない。
　したがって、他の請求項１ないし８に係る発明について検討するまでもなく、本願は拒絶すべきものである。
　よって、結論のとおり審決する。